(57)【要約】【課題】    複雑な形状を有する複合屋根の接合部分であっても、確実に水密状態を得ることが出来る複合屋根部の水密構造を提供する。【解決手段】  ユニット建物の上部に、一定の屋根勾配を有する傾斜屋根部２０に隣接配置されて、略水平に延設される陸屋根部２１が設けられて、複合屋根部１９が構成されている。  傾斜屋根部２０の軒先側と、陸屋根部２１の立ち上がり面部２５との接合部分では、立ち上がり面部２５に沿って設けられた鉛直２７仕上材の内側に、略鉛直に立設される躯体側屋根仕上材２８が設けられて、延設介装部２８ａが、傾斜屋根部２０の上面側に敷設された上側アスファルトルーフィング３１の軒先側端縁部３１ａの下側に介装されることにより、上側アスファルトルーフィング３１と、躯体側屋根仕上材２８と、下側アスファルトルーフィング３２とを、傾斜屋根部２０の上面側で、重合させて重合部４０が構成されている。【選択図】図１
2006002360.tif 000002
【特許請求の範囲】
【請求項１】
建物の上部に、一定の屋根勾配を有して構成される傾斜屋根部と、該傾斜屋根部に隣接
配置されて、略水平に延設される陸屋根部とが設けられて、複数の屋根仕上材が、接合さ
れることにより、前記傾斜屋根部及び前記陸屋根部とを連続して覆う複合屋根部の水密構
造であって、
前記傾斜屋根部の軒先側と、前記陸屋根部の立ち上がり面部との接合部分では、該立ち
上がり面部に沿って設けられる前記屋根仕上材の内側に、略鉛直に立設される躯体側屋根
仕上材の上端部を、前記傾斜屋根部の傾斜角度に合わせて屈曲して、延設介装部を形成す
ると共に、該延設介装部を、前記傾斜屋根部の上面側に敷設された防水紙の軒先側端縁部
の下側に介装することにより、該防水紙と前記躯体側屋根仕上材とを、前記傾斜屋根部の
上面側で、重合させる重合部を設けたことを特徴とする複合屋根部の水密構造。
【請求項２】
前記傾斜屋根部の上面側に敷設された防水紙の下面側に、二重となるように、躯体側防
水紙を敷設すると共に、該躯体側防水紙の軒先側端縁部を、前記躯体側屋根仕上材の延設
介装部の下側に重ねて重合したことを特徴とする請求項１記載の複合屋根部の水密構造。
【請求項３】
前記躯体側防水紙の軒先側端縁部の上面と、前記躯体側屋根仕上材の延設介装部の下面
との間に、水密部材を添着したことを特徴とする請求項２記載の複合屋根部の水密構造。
【請求項４】
該立ち上がり面部に沿って設けられる前記屋根仕上材の上端部と、前記傾斜屋根部の軒
先側に設けられた屋根仕上材の軒先側端縁部との接合部を、前記陸屋根部上方へ向けて軒
先方向へ突設させて、前記傾斜屋根部の上面側に敷設された防水紙の上側の流路から離間
させると共に、該接合部と、前記延設介装部との間に、流下開口を形成して、前記傾斜屋
根部の流路と連通する立ち上がり面部内流路を、前記立ち上がり面部の躯体側屋根仕上材
と、前記屋根仕上材との間に形成することを特徴とする請求項１乃至３のうち、何れか一
項記載の複合屋根部の水密構造。
【発明の詳細な説明】
【技術分野】
【０００１】
この発明は、建物の屋根部に用いられて、特に、異なる形状の屋根部を接合する箇所の
水密性能を向上させることが出来る複合屋根部の水密構造に関するものである。
【背景技術】
【０００２】
従来、図１０に示すような屋根部の接合構造が、知られている（例えば、特許文献１等
参照）。
【０００３】
まず、構成から説明すると、この従来の屋根部の接合構造では、建物１の上部に、一定
の屋根勾配を有して構成される傾斜屋根部３と、この傾斜屋根部３に隣接配置されて、略
水平に延設される陸屋根部４とが設けられることにより、複合屋根部２が、主に構成され
ている。
【０００４】
このうち、前記傾斜屋根部３を構成する複数の屋根パネル部材５…は、上面視略ロ字状
に接続されて、周縁を形成する枠材５ａ…及び５ｂ…と、これらの枠材５ａ…及び５ｂ…
の上面部を覆うように敷設される平板状のパネル面材５ｃとを有して、主に、構成されて
いる。
【０００５】
一般に、これらの屋根パネル部材５…と、前記隣接配置される陸屋根部４との接合部分
では、図１１に示されるように、接合部分に沿って延設される前記枠材５ａの前端面５ｄ
に、陸屋根部４の立ち上がりパネル面材６の上端部６ａの裏側面が、接合されている。
【０００６】
このような接合部分では、建物１内部への雨水の浸入を防止する為、前記屋根パネル部
材５の前記パネル面材５ｃの上面側に防水紙７が敷設されると共に、この防水紙７の前端
縁７ａが、前記立ち上がりパネル面材６の外側面を覆うように添着される防水紙８の上端
縁８ａに、重ね合わせられて、一定寸法幅ｗの重合部９が、形成されている。
【０００７】
更に、前記傾斜屋根部３の前記防水紙７の上面側には、金属折版で構成される屋根仕上
材１０，１０が、釘１１…等で固着されて設けられている。
【０００８】
このうち、最も、軒先側の屋根仕上材１０の前端折り返し部１０ａには、前記立ち上が
りパネル面材６の外表面側に貼設される縦面仕上げ材１２の上端屈曲部１２ａが、嵌着さ
れている。
【０００９】
次に、この従来の複合屋根部の水密構造について説明する。
【００１０】
この従来の複合屋根部の水密構造では、前記傾斜屋根部３では、前記屋根仕上材１０，
１０間の接続部分等から内部に、浸入した雨水が、前記防水紙７の上面を流下して、前記
重合部９の上面側を通過する。
【００１１】
そして、前記重合部９の上面側を通過した雨水は、前記縦面仕上げ材１２の裏面側で、
前記防水紙８の外側面との間の間隙を、流れ落ちる。
【００１２】
なお、軒先近傍に、陸屋根部に相当する略平坦な底面部を有する融雪溝を設けて、隣地
を含む軒下に落下する前に、この融雪溝内に捕捉された雪を、強制的に融雪する強制融雪
機等を設けたものも知られている（例えば、特許文献２，３等参照）。
【特許文献１】特開平１１−１４１０４２号公報（図１，図２、段落００１２乃至段落００２７）
【特許文献２】特公平８−１６４０４号公報（図１乃至図３）
【特許文献３】特開平７−２７９４８１号公報（図１乃至図３、段落０００７乃至段落００２３）
【発明の開示】
【発明が解決しようとする課題】
【００１３】
しかしながら、図１１に示されるような従来の複合屋根部の水密構造では、前記重合部
９が、前記パネル面材５ｃの上面側に敷設された防水紙７が、前記立ち上がりパネル面材
６の外側面を覆うように添着された防水紙８の上端縁８ａに、重ね合わせられているだけ
である。
【００１４】
このため、この重合部９から建物１躯体内部へ漏水が発生する虞があった。
【００１５】
また、軒先側の前記屋根仕上材１０の前端折り返し部１０ａに、前記立ち上がりパネル
面材６の外表面側に貼設される縦面仕上げ材１２の上端屈曲部１２ａが、嵌着されている
部分からも、雨水が浸入して、建物１躯体内部へ漏水が発生する虞があった。
【００１６】
そこで、この発明は、複雑な形状を有する複合屋根の接合部分であっても、確実に水密
状態を得ることが出来る複合屋根部の水密構造を提供することを課題としている。
【課題を解決するための手段】
【００１７】
上記目的を達成するために、本願発明の請求項１記載のものは、建物の上部に、一定の
屋根勾配を有して構成される傾斜屋根部と、該傾斜屋根部に隣接配置されて、略水平に延
設される陸屋根部とが設けられて、複数の屋根仕上材が、接合されることにより、前記傾
斜屋根部及び前記陸屋根部とを連続して覆う複合屋根部の水密構造であって、前記傾斜屋
根部の軒先側と、前記陸屋根部の立ち上がり面部との接合部分では、該立ち上がり面部に
沿って設けられる前記屋根仕上材の内側に、略鉛直に立設される躯体側屋根仕上材の上端
部を、前記傾斜屋根部の傾斜角度に合わせて屈曲して、延設介装部を形成すると共に、該
延設介装部を、前記傾斜屋根部の上面側に敷設された防水紙の軒先側端縁部の下側に介装
することにより、該防水紙と前記躯体側屋根仕上材とを、前記傾斜屋根部の上面側で、重
合させる重合部を設けた複合屋根部の水密構造を特徴としている。
【００１８】
また、請求項２に記載されたものは、前記傾斜屋根部の上面側に敷設された防水紙の下
面側に、二重となるように、躯体側防水紙を敷設すると共に、該躯体側防水紙の軒先側端
縁部を、前記躯体側屋根仕上材の延設介装部の下側に重ねて重合した請求項１記載の複合
屋根部の水密構造を特徴としている。
【００１９】
更に、請求項３に記載されたものは、前記躯体側防水紙の軒先側端縁部の上面と、前記
躯体側屋根仕上材の延設介装部の下面との間に、水密部材を添着した請求項２記載の複合
屋根部の水密構造を特徴としている。
【００２０】
そして、請求項４に記載されたものは、該立ち上がり面部に沿って設けられる前記屋根
仕上材の上端部と、前記傾斜屋根部の軒先側に設けられた屋根仕上材の軒先側端縁部との
接合部を、前記陸屋根部上方へ向けて軒先方向へ突設させて、前記傾斜屋根部の上面側に
敷設された防水紙の上側の流路から離間させると共に、該接合部と、前記延設介装部との
間に、流下開口を形成して、前記傾斜屋根部の流路と連通する立ち上がり面部内流路を、
前記立ち上がり面部の躯体側屋根仕上材と、前記屋根仕上材との間に形成する請求項１乃
至３のうち、何れか一項記載の複合屋根部の水密構造を特徴としている。
【発明の効果】
【００２１】
このように構成された請求項１記載のものは、前記延設介装部が、前記傾斜屋根部の上
面側に敷設された防水紙の軒先側端縁部の下側に介装されることにより、該防水紙と前記
躯体側屋根仕上材とが、前記傾斜屋根部の上面側で、重合されて構成されている。
【００２２】
このため、前記傾斜屋根部では、各屋根仕上材間の接合部等から、前記屋根仕上材下面
側に浸入した雨水が、該傾斜屋根部の防水紙の上面側から、該重合部を通過して、該躯体
側屋根仕上材の外側面外側方に流下される。
【００２３】
該延設介装部は、前記屋根仕上材の内側に、略鉛直に立設される前記躯体側屋根仕上材
の上端部を、前記傾斜屋根部の傾斜角度に合わせて屈曲して、一体に構成されているので
、従来の重合部のように、２枚の防水紙を重ね合わせたものに比して、耐久性を向上させ
ることが出来ると共に、施工誤差を少なくすることが出来る。
【００２４】
従って、水密性能のバラツキを減少させることができる。
【００２５】
また、請求項２に記載されたものは、前記傾斜屋根部では、前記防水紙と共に、軒先側
端縁部が、前記躯体側屋根仕上材の延設介装部の下側に重ねあわせられて、重合された躯
体側防水紙によって、二重となるように防水紙が敷設されている。
【００２６】
このため、前記上側の防水紙等から雨漏れが、生じても、前記躯体側防水紙によって、
建物躯体内部への雨水の浸入が防止される。
【００２７】
更に、請求項３に記載されたものは、前記躯体側防水紙の軒先側端縁部の上面と、前記
躯体側屋根仕上材の延設介装部の下面との間に添着された前記水密部材によって、前記躯
体側防水紙の上面を流下する雨水が、該躯体側防水紙の軒先側端縁部の上面と、前記躯体
側屋根仕上材の延設介装部の下面との間から、建物躯体内部へ浸入することなく、前記躯
体側屋根仕上材の延設介装部の上面側を通過して、前記躯体側屋根仕上材の外側に排水さ
れる。
【００２８】
このため、更に、安定した水密性能を発揮することができる。
【００２９】
また、請求項４に記載されたものは、前記接合部が、防水紙の上側の流路から離間され
て形成されているので、雨水が、直接、該接合部にかかり、劣化して、防水性を損なわせ
る虞を減少させることができる。
【００３０】
更に、前記流下開口を介して、前記傾斜屋根部の流路内を流下する雨水が、円滑に、前
記立ち上がり面部の躯体側屋根仕上材と、前記屋根仕上材との間に形成された前記立ち上
がり面部内流路内に排水されて、建物躯体内部へ浸入する虞を、更に、減少させることが
できる。
【００３１】
しかも、前記接合部から浸入した雨水も、直ちに、前記立ち上がり面部の躯体側屋根仕
上材と、前記屋根仕上材との間に形成された前記立ち上がり面部内流路内に流下されて、
建物外側に排水される。
【００３２】
このため、更に、水密性が良好な複合屋根部が提供される。
【発明を実施するための最良の形態】
【００３３】
次に、図面に基づいて、この発明を実施するための最良の実施の形態の複合屋根部の水
密構造を説明する。
【００３４】
なお、前記従来例と同一乃至均等な部分については、同一符号を付して説明する。
【００３５】
図１乃至図４は、この発明の最良の実施の形態の複合屋根部の水密構造を示している。
【００３６】
まず、この実施の形態の構成を説明すると、この実施の形態の建物としてのユニット建
物１４は、図２に示されるように、複数の一階居室ユニット１５…及び１６…の上部に、
二階居室ユニット１７…が載置されて、一階部分の居住スペース及び二階部分の居住スペ
ースが主に形成されている。
【００３７】
これらの一，二階部分の上部には、各々、複合屋根部１８，１９が設けられている。
【００３８】
このうち、二階部分の上部に設けられた複合屋根部１９には、一定の屋根勾配を有して
構成される傾斜屋根部２０と、この傾斜屋根部２０の北側軒先部に隣接配置されて、略水
平に延設される陸屋根部２１とが設けられていて、図３に示すように、隣地境界線Ｌ側の
二階居室ユニット１７の上部に、これらの傾斜屋根部２０と、陸屋根部２１とを連結する
接続部３０が設けられている。
【００３９】
このうち、前記傾斜屋根部２０は、略中央部に設けられた棟部２０ａから、一定の傾斜
角度を有して両側に向けて下降する傾斜面が形成されるように、一定の間隔を置いて、流
れ方向に沿って延設される垂木２２…が複数本、並設されると共に、これらの垂木２２…
が、軒先延設方向に沿って設けられて、建物躯体と一体となるように固設される横桁材２
３…によって、支持されている。
【００４０】
また、これらの垂木２２…の上面側には、平板板状の野地板部材２４…が貼設されてい
て、図４に示されるように、この野地板部材２４…の上面側に装着される屋根仕上材１０
，１０と共に、釘１１…によって、前記垂木２２，２２に固着されている。
【００４１】
これらの屋根仕上材１０は、各々流れ方向前後側縁部に、係合フック部１０ｃ及び被係
合凸部１０ｄが、一体に屈曲形成された長尺パネル状を呈していて、隣接配置される他の
屋根仕上材１０，１０間で、これらの係合フック部１０ｃ及び被係合凸部１０ｄ同士を係
合させることにより、複数の屋根仕上材１０…が、一枚の板材のように、接合されている
。
【００４２】
さらに、この傾斜屋根部２０の軒先側縁部には、前端縁を裏面側に沿わせるように屈曲
する前端折り返し部１０ａが形成された前端屋根仕上材１０Ａが、敷設されている。
【００４３】
また、前記陸屋根部２１は、平坦状を呈する底面部２１ａの軒先側及び左，右両側に、
側壁部２１ｂ，２１ｃ…が、三方向から周囲を取り囲むように、一定の高さを有して形成
されている。これらの側壁部２１ｂ，２１ｃ…の上面には、図９に示すように、内，外側
面から延設されるシート状部材２１ｄ，２１ｅが重ね合わせられていると共に、これらの
シート状部材２１ｄ，２１ｅの上には、図７，若しくは図８に示すような鋼板とシート材
との複合材料で構成されるパラペット役物２１ｆが嵌着されている。
【００４４】
更に、このパラペット役物２１ｆの上からは、図３，若しくは図５に示すような換気笠
木部材２１ｈが、前記三方向に設けられた各側壁部２１ｂ，２１ｃ…の上面部２１ｇを覆
うように固着されている。
【００４５】
この陸屋根部２１には、棟側の側縁部に、立ち上がり面部２５が、前記略垂直に延設さ
れている。
【００４６】
この立ち上がり面部２５は、前記傾斜屋根部２０の軒先側端縁に位置する横桁材２３の
外側面側に、固定される鉛直壁面部材２６と、この鉛直壁面部材２６に沿って設けられて
、前記屋根仕上材１０の前端折り返し部１０ａに、軒先側に向けて一体に屈曲形成された
上端部２７ａを嵌着させる屋根仕上材の一つとしての鉛直仕上部材２７とを有して、主に
構成されている。
【００４７】
この実施の形態の鉛直仕上部材２７は、図４及び図５に示すように、前記立ち上がり面
部２５の上下方向略全幅に渡って、前記陸屋根部２１の側壁部２１ｃ，２１ｃの換気笠木
部材２１ｈの上端近傍に至るまで延設されている。
【００４８】
そして、この鉛直仕上部材２７は、上端部２７ａ近傍及び、上下方向略中央に凹設形成
された固定凹部２７ｂが、釘１１，１１を用いて、前記鉛直壁面部材２６に固定されてい
て、前記傾斜屋根部２０及び前記陸屋根部２１とが連続して覆われるように構成されてい
る。
【００４９】
前記傾斜屋根部２０の軒先側と、前記陸屋根部２１の立ち上がり面部２５の上端との接
合部分では、前記立ち上がり面部２５に沿って設けられる前記鉛直仕上材２７の内側で、
前記鉛直壁面部材２６の外側に介在されて、図１及び図７に示すような躯体側屋根仕上材
２８が、略鉛直に立設されて設けられている。
【００５０】
この実施の形態の躯体側屋根仕上材２８は、ステンレス鋼板製で、上端部を、前記傾斜
屋根部２０の傾斜角度に合わせて屈曲して、一定の幅寸法ｗ１を有する延設介装部２８ａ
が形成されている。
【００５１】
更に、この躯体側屋根仕上材２８の下端部は、断面略Ｌ字型を呈するように、略直角に
軒先方向に向けて一体に屈曲されていて、前記陸屋根部２１の底面部２１a上面を覆うよ
うに延設されている。
【００５２】
また、この実施の形態の傾斜屋根部２０の上面側には、防水紙としての上側アスファル
トルーフィング３１が敷設されていると共に、この上側アスファルトルーフィング３１の
下面側に、二重となるように、躯体側防水紙としての下側アスファルトルーフィング３２
が敷設されている。
【００５３】
そして、前記延設介装部２８ａが、この上側アスファルトルーフィング３１の軒先側端
縁部３１ａの下側に介装されることにより、この上側アスファルトルーフィング３１と前
記躯体側屋根仕上材２８とが、前記傾斜屋根部２０の軒先上面側で、重合される重合部４
０が設けられている。
【００５４】
更に、この実施の形態の重合部４０では、前記下側アスファルトルーフィング３２の軒
先側端縁部３２ａが、前記躯体側屋根仕上材２８の延設介装部２８ａの下側に重ねられて
重合されている。
【００５５】
すなわち、前記下側アスファルトルーフィング３２の軒先側端縁部３２ａの上面と、前
記躯体側屋根仕上材２８の延設介装部２８ａの下面との間には、水密部材としてのゴム系
スポンジ部材４１が添着されていて、これらの軒先側端縁部３２ａと延設介装部２８ａと
の間から、建物躯体側に雨水が浸入しないように水密状態としている。
【００５６】
そして、この実施の形態の接続部３０では、前記立ち上がり面部２５に沿って設けられ
る前記鉛直仕上部材２７の上端部２７ａと、前記傾斜屋根部２０の軒先側に設けられた屋
根仕上材１０Ａの前端折り返し部１０ａとの接合部が、前記鉛直仕上部材２７の上端部２
７ａ近傍を、釘１１，１１を用いて固定する際に、木桟４２，４３を介在させることによ
り、前記陸屋根部２１上方へ向けて軒先方向へ突設されていて、前記傾斜屋根部２０の上
面側に敷設された上側アスファルトルーフィング３１の上側の流路から離間されている。
【００５７】
更に、この接合部と、前記延設介装部２８ａ端縁との間に、流下開口４４が形成されて
いる。
【００５８】
そして、前記傾斜屋根部２０の上側アスファルトルーフィング３１の上側の流路と連通
する立ち上がり面部内流路４５が、前記立ち上がり面部２５の躯体側屋根仕上材２８の外
側面と、前記鉛直仕上げ材２７の裏面側との間に形成されている。
【００５９】
また、この傾斜屋根部２０の周囲には、図２及び図３に示すような装飾用パラペット部
材５０，５０が装着されて、前記陸屋根部２１の換気笠木部材２１ｈとの外観上の調和が
図られていると共に、反対側の傾斜屋根部２０には、天窓部５１が設けられている。
【００６０】
次に、この実施の形態の複合屋根部の水密構造の作用について説明する。
【００６１】
この実施の形態では、前記延設介装部２８ａが、前記傾斜屋根部２０の上面側に敷設さ
れた上側アスファルトルーフィング３１の軒先側端縁部３１ａの下側に介装されることに
より、この上側アスファルトルーフィング３１と前記躯体側屋根仕上材２８とが、前記傾
斜屋根部２０の野地板部材２４上面側で、重合されて構成されている。
【００６２】
このため、前記傾斜屋根部２０では、各屋根仕上材１０，１０間の接合部等から、万一
、前記屋根仕上材１０下面側に雨水が浸入しても、図１に示されるように、この傾斜屋根
部２０の上側アスファルトルーフィング３１の上面側から、この重合部４０の上方を通過
して、前記流下開口４４を介して、立ち上がり面部２５内に、円滑に流下される。
【００６３】
そして、この雨水は、前記躯体側屋根仕上材２８の外側面外側方を伝って、前記立ち上
がり面部内流路４５から、前記陸屋根部２１の底面部２１ａ上面に向けて流下される。
【００６４】
前記延設介装部２８ａは、前記屋根仕上材１０Ａの下方内側及び前記鉛直仕上部材２７
の建物躯体方向内側に、略鉛直に立設される前記躯体側屋根仕上材２８の上端部を、前記
傾斜屋根部２０の傾斜角度に合わせて屈曲して、一体に構成されているので、例えば、ス
テンレス鋼板製等の耐腐食性の金属材料で構成出来る。
【００６５】
このため、従来の重合部のように、２枚の防水紙を重ね合わせたものに比して、耐久性
を向上させることが出来ると共に、施工誤差を少なくすることが出来る。
【００６６】
従って、水密性能のバラツキを減少させることができる。
【００６７】
また、前記傾斜屋根部２０では、前記上側アスファルトルーフィング３１と共に、軒先
側端縁部３２ａが、前記躯体側屋根仕上材２８の延設介装部２８ａの下側に重ねあわせら
れて、重合された下側アスファルトルーフィング３２が設けられていて、防水紙が二重と
なるように敷設されている。
【００６８】
このため、前記上側アスファルトルーフィング３１等から雨漏れが、生じても、前記下
側アスファルトルーフィング３２によって、建物躯体内部への雨水の浸入が防止される。
【００６９】
従って、更に、水密性能が良好である。
【００７０】
しかも、万一、下側アスファルトルーフィング３２の上面まで、浸入した雨水も、前記
下側アスファルトルーフィング３２の軒先側端縁部３２ａの上面と、前記躯体側屋根仕上
材２８の延設介装部２８ａの下面との間に添着された前記ゴム系スポンジ部材４１によっ
て、堰き止められる。
【００７１】
このため、下側アスファルトルーフィング３２の軒先側端縁部３２ａの上面と、前記躯
体側屋根仕上材２８の延設介装部２８ａの下面との間から、浸出して、建物躯体内部へ浸
入することが無い。
【００７２】
しかも、この実施の形態では、前記延設介装部２８ａの上面に、前記上側アスファルト
ルーフィング３１の軒先側端縁部３１ａが重ね合わされているだけで、重合部４０が構成
されているので、これらの延設介装部２８ａの上面と、軒先側端縁部３１ａの下面との間
から、下側アスファルトルーフィング３２の上面の雨水が排水される。
【００７３】
このため、雨水は、前記躯体側屋根仕上材２８の延設介装部２８ａを乗り越えて上面側
を通過して、前記流下開口４４から、前記躯体側屋根仕上材２８の外側面外側方を伝って
、前記立ち上がり面部内流路４５から流下されて排水される。
【００７４】
従って、前記下側アスファルトルーフィング３２の上面を流下する雨水は、滞留するこ
となく、排水されて、更に、安定した水密性能を発揮することができる。
【００７５】
また、この実施の形態の接続部３０では、前記立ち上がり面部２５に沿って設けられる
前記鉛直仕上部材２７の上端部２７ａと、前記傾斜屋根部２０の軒先側に設けられた屋根
仕上材１０Ａの前端折り返し部１０ａとの接合部が、前記陸屋根部２１上方へ向けて軒先
方向へ突設させれていて、前記傾斜屋根部２０の上面側に敷設された上側アスファルトル
ーフィング３１の上側の流路から離間されている。
【００７６】
しかも、前記上側アスファルトルーフィング３１の上面側まで、浸入した雨水は、前記
躯体側屋根仕上材２８の外側面外側方を伝って、前記流下開口４４を介して、立ち上がり
面部２５内に、円滑に流下される。
【００７７】
このため、雨水が、直接、前記屋根仕上材１０Ａの前端折り返し部１０ａに形成された
接合部にかかり、劣化して、防水性を損なわせる虞を減少させることができる。
【００７８】
また、前記鉛直仕上部材２７の上端部２７ａ近傍を、釘１１，１１を用いて固定する際
に、木桟４２，４３を介在させることにより、容易に、前記流下開口４４を形成出来、該
流下開口４４を介して、前記立ち上がり面部内流路内４５に排水されるので、建物躯体内
部へ浸入する虞を、更に、減少させることができる。
【００７９】
しかも、前記屋根仕上材１０Ａの前端折り返し部１０ａに形成された接合部から浸入し
た雨水も、直ちに、この流下開口４４を介して、前記立ち上がり面部２５の躯体側屋根仕
上材２８と、前記鉛直屋根仕上部材２７との間に形成された前記立ち上がり面部内流路４
５内に流下されて、建物外側に排水される。
【００８０】
このため、更に、水密性が良好な複合屋根部が提供されて、例えば、図２及び図３に示
すように、隣地境界線Ｌ側の二階居室ユニット１７の上部に、これらの傾斜屋根部２０と
、陸屋根部２１とを連結する接続部３０を設けて、この陸屋根部２１を落雪防止用の雪止
めとして用いることができる。
【００８１】
以上、図面を参照して、本発明の実施の形態を詳述してきたが、具体的な構成は、この
実施の形態に限らず、本発明の要旨を逸脱しない程度の設計的変更は、本発明に含まれる
。
【００８２】
即ち、前記実施の形態では、複数の一階居室ユニット１５…，１６…及び二階居室ユニ
ット１７を組み合わせて構成されるユニット建物１４に用いられる複合屋根部１８，１９
を用いて説明してきたが、特にこれに限らず、例えば、木造在来工法や、ツーバイフォー
工法等、他の工法を用いるプレバブ建物等の他の工法で施工される建物の複合屋根部に、
用いても良く、複合屋根部の形状、前記傾斜屋根部２０の傾斜角度等が限定されるもので
はない。また、前記躯体側屋根仕上材２８、上，下側アスファルトルーフィング３１，３
２、及びゴム系スポンジ部材４１等の構成部材の材質が、特に限定されるものではない。
【図面の簡単な説明】
【００８３】
【図１】この発明の実施の形態の複合屋根部の水密構造で、要部の構成を説明する傾斜屋根部と陸屋根部との接合部に浸入した雨水の流下を模式的に説明する図２中Ａ−Ａ線に沿った位置に相当する位置での立ち上がり面部上端近傍の拡大断面図である。
【図２】この発明の実施の形態の複合屋根部の水密構造で、建物の全体の構成を説明する斜視図である。
【図３】この発明の実施の形態の複合屋根部の水密構造で、図２中Ｂ−Ｂ線に沿った位置での複合屋根部の断面図である。
【図４】実施の形態の複合屋根部の水密構造で、図２中Ａ−Ａ線に沿った位置での立ち上がり面部上端近傍の拡大断面図である。
【図５】実施の形態の複合屋根部の水密構造で、図２中Ｃ−Ｃ線に沿った位置での側壁部近傍の構成を説明する拡大断面図である。
【図６】実施の形態の複合屋根部の水密構造で、二階居室ユニットの上に載置される複合屋根部を説明する建物の上面図である。
【図７】実施の形態の複合屋根部の水密構造で、屋根仕上材を装着する前の状態で、要部の構成を説明する図２中Ａ−Ａ線に沿った位置に相当する位置での立ち上がり面部上端近傍の拡大断面図である。
【図８】実施の形態の複合屋根部の水密構造で、屋根仕上材を装着する前の状態で、要部の構成を説明する図２中Ｃ−Ｃ線に沿った位置に相当する位置での側壁部近傍の構成を説明する拡大断面図である。
【図９】実施の形態の複合屋根部の水密構造で、換気笠木部材を装着する前の側壁部の上部の構成を説明する縦断面図である。
【図１０】従来例の複合屋根部で、全体の構成を説明する建物の斜視図である。
【図１１】一般的な防水構造を、複合屋根の接続部に適用した一例を示し、図１０中Ｄ−Ｄ線に沿った位置に相当する位置での断面図である。
【符号の説明】
【００８４】
１０，１０Ａ          屋根仕上材
２７                  鉛直仕上部材（屋根仕上材）
１４                  ユニット建物（建物）
１８，１９            複合屋根部
２０                  傾斜屋根部
２１                  陸屋根部
２５                  立ち上がり面部
２８                  躯体側屋根仕上材
２８ａ                延設介装部
３０                  接続部
防水紙
３１                  上側アスファルトルーフィング
３２                  下側アスファルトルーフィング（躯体側防水紙）
３１ａ，３２ａ        軒先側端縁部
４０                  重合部
４１                  ゴム系スポンジ部材（水密部材）
【図１】
2006002360.tif 000003
【図２】
2006002360.tif 000004
【図３】
2006002360.tif 000005
【図４】
2006002360.tif 000006
【図５】
2006002360.tif 000007
【図６】
2006002360.tif 000008
【図７】
2006002360.tif 000009
【図８】
2006002360.tif 000010
【図９】
2006002360.tif 000011
【図１０】
2006002360.tif 000012
【図１１】
2006002360.tif 000013